(57)【要約】【課題】ディスプレイを見る場合にその画面に集中できるディスプレイを備えた壁構造を提供する。【解決手段】天井高の１／２〜１／３の上下の長さを有する垂れ壁１が天井２から垂下して設けられ、この垂れ壁１の下方には、下壁５が該垂れ壁１より奥まった位置に設けられており、この下壁５に薄型のディスプレイ１０がその画面１０ａを垂れ壁１の表面より奥側に位置させて固定されているので、視点の重心が下げられて下壁５の方に向う。そして、この下壁５に薄型のディスプレイ１０がその画面１０ａを垂れ壁１の表面より奥側に位置させて固定されているので、視点がディスプレイ１０の画面１０ａに向かい、ディスプレイ１０の画面１０ａに集中できる。【選択図】図１
2009007742.tif 000002
【特許請求の範囲】
【請求項１】
天井高の１／２〜１／３の上下の長さを有する垂れ壁が天井から垂下して設けられ、この垂れ壁の下方には、下壁が該垂れ壁より奥まった位置に設けられており、この下壁に薄型のディスプレイがその画面を垂れ壁の表面より奥側に位置させて固定されていることを特徴とするディスプレイを備えた壁構造。
【請求項２】
請求項１に記載のディスプレイを備えた壁構造において、
前記下壁の上端部と垂れ壁の下端部との間には、水平板が前記垂れ壁の下端より高い位置に設けられ、この水平板に照明が前記ディスプレイの画面より奥側に位置させて取り付けられていることを特徴とするディスプレイを備えた壁構造。
【請求項３】
請求項１または２に記載のディスプレイを備えた壁構造において、
前記ディスプレイより下方には、該ディスプレイの幅より左右に長い棚が設けられており、この棚は前記下壁を貫通して、この下壁の裏側に設けられた構造壁に片持ち状態で固定されていることを特徴とするディスプレイを備えた壁構造。
【請求項４】
請求項３に記載のディスプレイを備えた壁構造において、
前記棚の下面には照明が取り付けられていることを特徴とするディスプレイを備えた壁構造。
【請求項５】
請求項３または４に記載のディスプレイを備えた壁構造において、
前記下壁と構造壁との間には空間が設けられていることを特徴とするディスプレイを備えた壁構造。
【発明の詳細な説明】
【技術分野】
【０００１】
本発明は、大型で薄型のディスプレイを備えた壁構造に関する。
【背景技術】
【０００２】
従来、テレビ等のディスプレイ装置は、専用台に載置するかキャビネット内に収納されていることが多かった。しかしながら近年プラズマディスプレイや液晶ディスプレイ等の大型かつ薄型のディスプレイが普及しており、その設置方法は、従来のように専用台を用いて床にディスプレイを設置するのみではなく、これらディスプレイの比較的軽量で薄型である特徴を生かして、居間や食堂等の壁面にも取り付けられている（例えば、特許文献１参照。）。
【特許文献１】特開平１０−１７４０２１号公報
【発明の開示】
【発明が解決しようとする課題】
【０００３】
ところで、前記従来技術では、大型かつ薄型のディスプレイを取付装置によって壁に取り付けているが、このディスプレイを居間の壁に取り付ける場合、人がソファーや椅子等に座った状態で人の視線がディスプレイの画面に対して直角となるような高さに、取り付けるのが好ましい。
一方、壁を見る場合、その視点は上下方向の中央部となる。つまり、床と天井との間のほぼ中間点が視点となる。
したがって、人がディスプレイの画面を見る場合、壁を見る視点と、ディスプレイを見る視点とが異なるので、画面に集中し難いという問題がある。
【０００４】
本発明は上記事情に鑑みてなされたもので、ディスプレイを見る場合にその画面に集中できるディスプレイを備えた壁構造を提供することを課題としている。
【課題を解決するための手段】
【０００５】
上記課題を解決するために、請求項１に記載の発明は、例えば図１〜図４に示すように、ディスプレイを備えた壁構造であって、天井高の１／２〜１／３の上下の長さを有する垂れ壁１が天井２から垂下して設けられ、この垂れ壁１の下方には、下壁５が該垂れ壁１より奥まった位置に設けられており、この下壁５に薄型のディスプレイ１０がその画面１０ａを垂れ壁１の表面より奥側に位置させて固定されていることを特徴とする。
【０００６】
請求項１に記載の発明によれば、天井高の１／２〜１／３の上下の長さを有する垂れ壁１が天井２から垂下して設けられているので、視点が下壁５の方に向う。つまり、垂れ壁１が大きいので、視点の重心が下げられて下壁５の方に向う。そして、この下壁５に薄型のディスプレイ１０がその画面１０ａを垂れ壁１の表面より奥側に位置させて固定されているので、視点がディスプレイ１０の画面１０ａに向かい、ディスプレイ１０の画面１０ａに集中できる。
【０００７】
請求項２に記載の発明は、請求項１に記載のディスプレイを備えた壁構造において、
前記下壁５の上端部と垂れ壁１の下端部との間には、水平板６が前記垂れ壁１の下端より高い位置に設けられ、この水平板６に照明１１が前記ディスプレイ１０の画面１０ａより奥側に位置させて取り付けられていることを特徴とする。
【０００８】
請求項２に記載の発明によれば、水平板６に取り付けられた照明１１によって、ディスプレイ１０を照らすことができるとともに、照明１１は垂れ壁１で隠されるので、ディスプレイ１０を見る人の目に直接照明１１の光が入ることがない。また、照明１１がディスプレイ１０の画面１０ａより奥側に位置させて取り付けられているので、照明１１がディスプレイ１０の画面１０ａに直接写りこむことがなく、画面１０ａが見易くなる。
【０００９】
請求項３に記載の発明は、請求項１または２に記載のディスプレイを備えた壁構造において、
前記ディスプレイ１０より下方には、該ディスプレイ１０の幅より左右に長い棚１２が設けられており、この棚１２は前記下壁５を貫通して、この下壁５の裏側に設けられた構造壁１３に片持ち状態で固定されていることを特徴とする。
【００１０】
請求項３に記載の発明によれば、棚１２の上にディスプレイに接続するＤＶＤデッキ等の再生・録画装置、スピーカ等の機器を設置することができる。また、棚１２の基端部が構造壁１３に片持ち状態で固定されているので、棚１２に比較的重量のある機器や装飾品を設置できる。
【００１１】
請求項４に記載の発明は、請求項３に記載のディスプレイを備えた壁構造において、
前記棚１２の下面には照明１４が取り付けられていることを特徴とする。
【００１２】
請求項４に記載の発明によれば、棚１２の下面に取り付けられた照明１４によって、暗くなりがちな棚１４の下を明るく照らすことができる。また、照明１４は棚１２で隠されるので、ディスプレイ１０を見る人の目に直接照明１４の光が入ることがない。
【００１３】
請求項５に記載の発明は、請求項３または４に記載のディスプレイを備えた壁構造において、
前記下壁５と構造壁１３との間には空間が設けられていることを特徴とする。
【００１４】
請求項５に記載の発明によれば、下壁５と構造壁１３との間の空間を、配線、配管用のスペースとして利用できるとともに、スピーカの設置スペースとしても利用できる。
【発明の効果】
【００１５】
本発明によれば、天井高の１／２〜１／３の上下の長さを有する垂れ壁が天井から垂下して設けられているので、視点の重心が下げられて下壁の方に向う。そして、この下壁に薄型のディスプレイがその画面を垂れ壁の表面より奥側に位置させて固定されているので、視点がディスプレイの画面に向かい、ディスプレイの画面に集中できる。
【発明を実施するための最良の形態】
【００１６】
以下図面を参照して本発明の実施の形態について説明する。
図１は本発明に係るディスプレイを備えた壁構造の一例を示す側断面図、図２は同正面図、図３は図１におけるＡ−Ａ線断面図、図４は同斜視図である。
これらの図において、符号１は垂れ壁を示す。この垂れ壁１は、天井２から垂下して設けられたものであり、天井高の１／２〜１／３の上下の長さを有している。また、垂れ壁１は床３と天井２との間に設けられた壁４の前方に、該壁と所定の間隔をもって配置されている。垂れ壁１は、縦桟材と横桟材を縦横に組み付けて矩形に形成された矩形フレームの表面に合板等からなる面材を張り付けて形成されている。
【００１７】
垂れ壁２の下方には、下壁５が垂れ壁１より奥まった位置に設けられている。この下壁５は前記壁４の略下半分で構成されており、この壁４の上下方向略中央部、つまり下壁５の上端部と、前記垂れ壁１の下端部との間には、水平板６が垂れ壁１の下端より高い位置に設けられている。したがって、垂れ壁１の下端は水平板６より下方に突出している。水平板６は、縦桟材と横桟材を縦横に組み付けて矩形に形成された矩形フレームの表面に合板等からなる面材を張り付けて形成されている。この水平板６の前端部は垂れ壁１に固定され、後端部は下壁５に固定されている。
【００１８】
前記下壁５の表面には、化粧板７が張り付けられており、この化粧板７の表面に大型でかつ薄型のディスプレイ１０が当接され、このディスプレイ１０は下壁５に取り付け固定されている。具体的には、化粧板７の略中央部に矩形状の貫通孔が形成されており、この貫通孔に固定金具１０ｂを挿通したうえで下壁５に固定し、下壁５に固定された固定金具１０ｂにディスプレイ１０を取り付ける。
下壁５は、例えば縦桟材と横桟材とを矩形枠状に組み付けた枠体内に補強桟材を縦横に取り付け、枠体の表面に合板等の面材を固定してなるものである。したがって、前記固定金具１０ｂは合板を通して補強桟材に釘打ちや接着等によって固定してもよく、また、合板に孔を形成し、この孔を通して固定金具１０ｂを補強桟材に釘打ちや接着剤等によって固定してもよい。
【００１９】
ディスプレイ１０は下壁５の上下方向中央部より若干上側に固定されており、該ディスプレイ１０の画面１０ａは垂れ壁１の表面より奥側に位置している。この状態において、ディスプレイ１０の画面１０ａは、ソファーに座った人の目の高さとほぼ等しくなっている。
また、前記水平板６の下面には、照明１１が取り付けられている。この照明１１は、下壁５の幅全体に亙って左右に長尺なものであり、ディスプレイ１０の画面１０ａより奥側に位置させて取り付けられている。さらに、照明１１の前方は垂れ壁１の下端部で覆われており、下方は開口されている。したがって照明１１の光は下方に照射され、化粧板７で反射する間接照明として機能する。
【００２０】
前記ディスプレイ１０より下方には、該ディスプレイ１０の幅より左右に長い棚１２が設けられている。棚１２は下壁５を貫通して、この下壁５の裏側に設けられた構造壁１３に片持ち状態で固定されている。構造壁１３の表面には、桟材１３ａ，１３ａが上下に間隔をもって固定されており、該桟材１３ａ，１３ａの間に棚１２の基端部が挿入され、桟材１３ａから棚１２に向けての釘打ち等によって、棚１２の基端部が構造壁１３に固定されている。
棚１２は左右に長い長方形板状ものであり、その下面には凹所１２ａが形成されている。凹所１２ａは棚１２の長手方向に延在する凹溝状に形成されており、この凹所１２ａには照明１４が取り付けられている。照明１４は、棚１２の長手方向（左右方向）に亙って長尺なものであり、棚１２の下方を照らすようになっている。
【００２１】
前記構造壁１３は外壁を構成する壁であり、前記壁４と所定間隔をもって平行に設けられている。構造壁１３と下壁５を含む壁４との間の空間は、例えば配線、配管用のスペースとして利用されるとともに、スピーカの設置スペースとして利用される。
前記棚１２上には、例えばＤＶＤデッキ１５が設置されており、このＤＶＤデッキ１５と前記ディスプレイ１０を接続する配線１６は、ＤＶＤデッキ１５の接続端子から棚１２の上面に形成された配線口１７を通って前記凹所１２ａに入り、この凹所１２ａを通ってディスプレイ１０の下まで延び、凹所１２ａから棚１２内に入り、この棚１２から下壁５内、または下壁５と構造壁１３との間のスペースを通って、ディスプレイ１０の裏側に回り、下壁５を突き抜けてディスプレイ１０の裏面の接続端子に接続される。
また、ＤＶＤデッキ１５やディスプレイ１０にスピーカ（図示略）を接続した場合、このスピーカは棚１２上に設置してもよいし、下壁５と構造壁１３との間のスペースに設けてもよい。この場合、スピーカを設ける位置に対応する下壁５の部分を切欠き、この切欠きと前記スペースとにまたがるようにしてスピーカを設置し、スピーカの前面を下壁１５の表面の化粧板７に形成した孔から露出させればよい。スピーカへの配線も前記同様にして行えばよい。
【００２２】
本実施の形態によれば、天井高の１／２〜１／３の上下の長さを有する垂れ壁１が天井から垂下して設けられているので、視点が下壁５の方に向う。つまり、垂れ壁１が大きいので、視点の重心が下げられて下壁５の方に向う。そして、この下壁５に薄型のディスプレイ１０がその画面１０ａを垂れ壁１の表面より奥側に位置させて固定されているので、視点がディスプレイ１０の画面１０ａに向かい、ディスプレイ１０の画面１０ａに集中できる。
また、下壁５の上端部と垂れ壁１の下端部との間には、水平板６が垂れ壁１の下端より高い位置に設けられ、この水平板６に照明１１がディスプレイ１０の画面１０ａより奥側に位置させて取り付けられているので、この照明１１によって、ディスプレイ１０や化粧板７を照らすことができるとともに、照明１１は垂れ壁１で隠されるので、ディスプレイ１０を見る人の目に直接照明の光が入ることがない。また、照明１１がディスプレイ１０の画面１０ａより奥側に位置させて取り付けられているので、照明１１がディスプレイ１０の画面１０ａに直接写りこむことがなく、画面１０ａが見易くなる。
さらに、ディスプレイ１０より下方には、該ディスプレイ１０の幅より左右に長い棚１２が設けられており、この棚１２は下壁５を貫通して、この下壁５の裏側に設けられた構造壁１３に片持ち状態で固定されているので、棚１２の上にディスプレイ１０に接続するＤＶＤデッキ１５、スピーカ等の機器を設置することができる。
また、棚１２の基端部が構造壁１３に片持ち状態で固定されているので、棚１２に比較的重量のある機器や装飾品を設置できる。
【００２３】
また、棚１２の下面に照明１４が取り付けられているので、この照明１４によって、暗くなりがちな棚１２の下を明るく照らすことができる。また、照明１４は棚１２で隠されるので、ディスプレイ１０を見る人の目に直接照明１４の光が入ることがない。
また、下壁５と構造壁１３との間には空間が設けられているので、この空間を、配線、配管用のスペースとして利用できるとともに、スピーカの設置スペースとしても利用できる。
【図面の簡単な説明】
【００２４】
【図１】本発明に係るディスプレイを備えた壁構造の一例を示すもので、その側断面図である。
【図２】同、正面図である。
【図３】同、図１におけるＡ−Ａ線断面図である。
【図４】同、斜視図である。
【符号の説明】
【００２５】
１  垂れ壁
２  天井
３  床
５  下壁
６  水平板
１０  ディスプレイ
１０ａ  画面
１１  照明
１２  棚
１３  構造壁
１４  照明
【図１】
2009007742.tif 000003
【図２】
2009007742.tif 000004
【図３】
2009007742.tif 000005
【図４】
2009007742.tif 000006